(57)【特許請求の範囲】
【請求項１】
各店舗に冷凍商品を収容したコンテナを温度管理して配送する工程の一部工程における前記コンテナの保管方法であって、
底面の後縁には背面が一体に繋がっており、底面と背面の左右の側縁には左右の側壁面が一体に繋がっており、背面の上縁には第１の上面が一体に繋がっており、底面の前縁には前面が一体に繋がっており、さらに、左右の側壁面の上縁には第２の上面がそれぞれ一体に繋がっており、第２の上面の先端縁には離脱自在接合テープが取り付けられており、第１の上面の上に第２の上面を被せて断熱性カバーを閉じる状態としたときに第２の上面の先端縁に取り付けた離脱自在接合テープが位置することとなる第１の上面の位置にはそれぞれ離脱自在接合テープが取り付けられており、背面と左右の側壁面がそれぞれ底面を支持面として自立性を有すると共に上面側と前面側がその全面で開放自在となり、背面と左右の側壁面とが底面の上に折り畳まれると共に、さらにその上に、前面、第１の上面および第２の上面が重畳して折り畳まれるように前記背面と左右の側壁面には折り畳み代が成形され、前記上面側と前面側とがその全面で開放した状態において、前記折り畳み代によって側壁面の前面側が外側に開かれ、かつ左右の側壁面が外側に傾斜して自立姿勢が維持され、立ち姿勢で閉じた状態となるときに各面が分離できる状態で一体化するように各面の接合部には離脱自在接合テープが取り付けられているコンテナ収容用の断熱性カバーを、
上面側および前面側を全面で開放した状態にして側壁面の前面側が外方に開きかつ左右の側壁面が外側に傾斜した状態で自立させて、温度管理下から取り出された前記コンテナを前記断熱性カバーに入れ込んだ状態とし、断熱性カバーの前面を立ち上がらせ、かつコンテナの上に第１の上面と第２の上面をこの順に被せ、各面を前記離脱自在接合テープによって断熱性カバーを閉じた状態とすることで、前記コンテナを前記断熱性カバーで包み込んで保管することを特徴とするコンテナの保管方法。
【請求項２】
各店舗に冷凍商品を収容したコンテナを温度管理して配送する工程の一部工程における前記コンテナの保管方法で使用する断熱性カバーであって、
底面の後縁には背面が一体に繋がっており、底面と背面の左右の側縁には左右の側壁面が一体に繋がっており、背面の上縁には第１の上面が一体に繋がっており、底面の前縁には前面が一体に繋がっており、さらに、左右の側壁面の上縁には第２の上面がそれぞれ一体に繋がっており、第２の上面の先端縁には離脱自在接合テープが取り付けられており、第１の上面の上に第２の上面を被せて断熱性カバーを閉じる状態としたときに第２の上面の先端縁に取り付けた離脱自在接合テープが位置することとなる第１の上面の位置にはそれぞれ離脱自在接合テープが取り付けられており、背面と左右の側壁面がそれぞれ底面を支持面として自立性を有すると共に上面側と前面側がその全面で開放自在となり、背面と左右の側壁面とが底面の上に折り畳まれると共に、さらにその上に、前面、第１の上面および第２の上面が重畳して折り畳まれるように前記背面と左右の側壁面には折り畳み代が成形され、前記上面側と前面側とがその全面で開放した状態において、前記折り畳み代によって側壁面の前面側が外側に開かれ、かつ左右の側壁面が外側に傾斜して自立姿勢が維持される構成を有しており、
前記断熱性カバーの上面側および前面側を全面で開放した状態にして側壁面の前面側が外方に開かれかつ左右の側壁面が外側に傾斜した状態で自立姿勢とされた状態において、背面と左右の側壁面を内側に二つに折り返されて入り込むよう上から押して底面の上に背面と左右の側壁面とが二つに折り返された状態で乗った姿勢とし、その上に、前面と上面接合片とを内側に折り畳んで重畳し、その上に第１の上面を内側に折り畳んで重畳し、さらに第１の上面の上に第２の上面を内側に折り畳んで重畳することができることを特徴とする断熱性カバー。
【発明の詳細な説明】
【技術分野】
【０００１】
本発明は、店舗への配送時における冷凍商品を収容したコンテナの保管方法とそこで用いる断熱性カバーに関し、特に、物流センター等から冷凍車を用いて複数の店舗に冷凍商品を配送するときに好適な冷凍商品を収容したコンテナの保管方法とそこで用いる断熱性カバーに関する。
【背景技術】
【０００２】
冷凍食品を含む種々の冷凍商品を物流センターからコンビニエンスストア等の多数の店舗へ、冷凍車を用いて小口配送することが行われる。物流センターにおいて、複数の種類の冷凍商品から各店舗ごとに配送すべき冷凍商品が選択され、各店舗ごとに、例えば特許文献１に記載されるような折り畳み可能な非発泡樹脂で作られたコンテナに入れられる。一定配送区域内にある複数の店舗ごとにコンテナはグルーピングされ、グルーピングされた複数のコンテナが冷凍車に積み込まれる。冷凍車の運転手は冷凍車を当該配送区域まで運転していき、冷凍商品を配送すべき店舗に到着すると、冷凍車の扉を開いて当該店舗用のコンテナを取り出す。
【０００３】
冷凍商品を収容するコンテナは、特別な断熱手段を備えない単なる非発泡樹脂製コンテナが殆どであり、長い時間、店舗の店頭にそのままで放置しておくと、冷凍商品に解凍が生じるので、店舗到着時に、運転者は、車からコンテナを取り出す作業と、取り出したコンテナから冷凍商品を取り出して店舗に備えられた陳列用冷凍庫に移し変える作業の双方を行っているのが、現状である。そのために、冷凍車の運転者が１店舗当たりで必要とする時間は長くなっており、所定時間内で一台の冷凍車が配送に回れる店舗数には限りがあった。
【０００４】
店舗の店頭に降ろしたコンテナから冷凍商品を取り出して陳列用冷凍庫に入れる作業をその店舗の店員等、別の人間が行うようにすれば、１店舗当たりで運転者が必要とする時間は短くなり、所定時間内でより多くの店舗に冷凍商品の配送を行うことができ、配送効率は向上する。しかし、店員は基本的にお客への対応が主たる仕事であり、混雑時には、冷凍車から降ろされたコンテナが店頭に長い時間放置されることが起こり得るので、コンテナから陳列用冷凍庫への冷凍商品の移動を店員にすべてを委ねることはできない。
【０００５】
特許文献２にはそのような不都合を解消するできる配送方法として、真空断熱材を用いて構成される保冷容器内に冷凍商品を蓄冷剤と共に収容して、冷凍車以外の保冷車等を用いて各店舗に配送することが記載されている。
【０００６】
【特許文献１】特開２００１−２８７７３８号公報
【特許文献２】特開２００５−２４７５８１号公報
【発明の開示】
【発明が解決しようとする課題】
【０００７】
特許文献２に記載のように、断熱性の高いまた蓄冷剤を入れた保冷容器を用いることにより、２時間程度は保冷容器内の温度管理が可能である。しかし、この配送方法は、真空断熱材を用いて構成される保冷容器の使用が前提となっており、この種の保冷容器は高コストであるとともに、冷凍商品用の容器としては強度的に十分でない。すなわち、冷凍商品は、冷凍が完全であれば硬いものであり、物流センターで冷凍商品を保冷容器内に投入したときなどに、衝撃により保冷容器に破損が生じやすい。物流中にも振動等によって冷凍商品が激しく移動したときに、保冷容器に傷を付けやすい。また、蓄冷剤を使用することも、コスト高の一因となる。
【０００８】
そのようなことから、現在、冷凍商品の配送用コンテナには、特別な断熱手段を施さない非発泡樹脂製のコンテナを用いるのが主流となっており、そのために、前記したような配送形態をとらざるを得なくなっている。コンテナ内に蓄冷剤を収容するとしても、基本的に断熱性を備えない冷凍商品を収容したコンテナをそのままで店頭に１，２時間という長い時間放置することはできない。また、蓄冷剤を使用すること自体、コスト高の一因となる。
【０００９】
本発明は、上記のような事情に鑑みてなされたものであり、冷凍商品の配送用コンテナとして断熱性を備えない非発泡樹脂製のコンテナを用いた場合でも、冷凍車による配送効率を向上させることのできる冷凍商品を収容したコンテナの保管方法とそこで用いる断熱性カバーを提供することを目的及び課題とする。
【課題を解決するための手段】
【００１０】
本発明による、各店舗に冷凍商品を収容したコンテナを温度管理して配送する工程の一部工程における前記コンテナの保管方法は、底面の後縁には背面が一体に繋がっており、底面と背面の左右の側縁には左右の側壁面が一体に繋がっており、背面の上縁には第１の上面が一体に繋がっており、底面の前縁には前面が一体に繋がっており、さらに、左右の側壁面の上縁には第２の上面がそれぞれ一体に繋がっており、背面と左右の側壁面がそれぞれ底面を支持面として自立性を有すると共に上面側と前面側がその全面で開放自在となり、背面と左右の側壁面とが底面の上に折り畳まれると共に、さらにその上に、前面、第１の上面および第２の上面が重畳して折り畳まれるように前記背面と左右の側壁面には折り畳み代が成形され、前記上面側と前面側とがその全面で開放した状態において、前記折り畳み代によって側壁面の前面側が外側に開かれ、かつ左右の側壁面が外側に傾斜して自立姿勢が維持され、立ち姿勢で閉じた状態となるときに各面が分離できる状態で一体化するように各面の接合部には離脱自在接合テープが取り付けられているコンテナ収容用の断熱性カバーを、上面側および前面側を全面で開放した状態にして側壁面の前面側が外方に開きかつ左右の側壁面が外側に傾斜した状態で自立させて、温度管理下から取り出された前記コンテナを前記断熱性カバーに入れ込んだ状態とし、断熱性カバーの前面を立ち上がらせ、かつコンテナの上に第１の上面と第２の上面を被せ、各面を前記離脱自在接合テープによって断熱性カバーを閉じた状態とすることで、前記コンテナを前記断熱性カバーで包み込んで保管することを特徴とする。
【００１１】
また、本発明による、各店舗に冷凍商品を収容したコンテナを温度管理して配送する工程の一部工程における前記コンテナの保管方法で使用する断熱性カバーは、底面の後縁には背面が一体に繋がっており、底面と背面の左右の側縁には左右の側壁面が一体に繋がっており、背面の上縁には第１の上面が一体に繋がっており、底面の前縁には前面が一体に繋がっており、さらに、左右の側壁面の上縁には第２の上面がそれぞれ一体に繋がっており、背面と左右の側壁面がそれぞれ底面を支持面として自立性を有すると共に上面側と前面側がその全面で開放自在となり、背面と左右の側壁面とが底面の上に折り畳まれると共に、さらにその上に、前面、第１の上面および第２の上面が重畳して折り畳まれるように前記背面と左右の側壁面には折り畳み代が成形され、前記上面側と前面側とがその全面で開放した状態において、前記折り畳み代によって側壁面の前面側が外側に開かれ、かつ左右の側壁面が外側に傾斜して自立姿勢が維持される構成を有しており、前記断熱性カバーの上面側および前面側を全面で開放した状態にして側壁面の前面側が外方に開かれかつ左右の側壁面が外側に傾斜した状態で自立姿勢とされた状態において、背面と左右の側壁面を内側に二つに折り返されて入り込むよう上から押して底面の上に背面と左右の側壁面とが二つに折り返された状態で乗った姿勢とし、その上に、前面と上面接合片とを内側に折り畳んで重畳し、その上に第１の上面を内側に折り畳んで重畳し、さらに第１の上面の上に第２の上面を内側に折り畳んで重畳することができることを特徴とする。
【００１２】
本発明によれば、冷凍車の運転手は運搬してきたコンテナ内の冷凍商品を店舗の冷凍庫内に移し変える作業を行うことなく、単に断熱性を備えたカバーで包み込む作業を行うだけで、次の配送先の店舗に向けて車を移動させることができるので、一店舗当たりで運転者が必要とする作業時間を短縮することができ、運転者による冷凍車の配送効率が向上する。
【００１３】
上記の通り構成されたコンテナは断熱性カバーによって包み込まれた状態であり、その状態で冷凍商品に対する１，２時間の温度管理は可能である。本発明による店舗における冷凍商品の保管方法によれば、配送されかつ断熱性を備えたカバーで包み込まれた冷凍商品を収容したコンテナを当該店舗で仮保管しておき、店舗の店員はその間で余裕ができたときに、コンテナ内の冷凍商品を店舗の例えば陳列用冷凍庫に移し変えて冷凍商品の本保管を行えばよく、店員の作業効率も向上する。
【００１４】
すなわち、本発明によれば、物流業者の冷凍車による配送効率と店舗での店員の作業効率と双方を改善することができる。
【００１５】
本発明において、配送に用いるコンテナに特に制限はなく、従来用いられているコンテナをそのまま用いることができる。配送は冷凍車で行い、店舗では断熱性カバーによって包み込まれた状態で仮保管されるので、断熱性を備えたコンテナである必要はない。安価でありかつ強い強度を有していることから、非発泡樹脂製コンテナは好ましく、特別の断熱加工が施されている必要はない。より好ましくは、特許文献１に記載されるような折り畳み可能なコンテナである。
【００１６】
店舗に持ち込まれたコンテナは、収容している冷凍商品の移し変えが終わった後、好ましくは、店舗の店員によって店舗の所要場所に保管される。物流業者は、帰りの冷凍車によってコンテナを回収し、物流センターに戻され、再使用に供される。
【００１７】
本発明において、断熱性カバーは所要の断熱性能を備えることを条件に、任意のものであってよい。一例として、発泡ポリエチレンのような厚さ数ｍｍの発泡樹脂シートあるいは発泡樹脂板をアルミ蒸着した非発泡樹脂シートで被覆した断熱シートが挙げられる。樹脂材料としては、他に、発泡ポリスチレンシートや発泡ポリプロピレンシートなどを用いることができる。断熱性カバーはシート状であってもよいが、作業の効率性から、コンテナを収容できる形状に袋状あるいはケース状に縫合され、使用しないときには小さく折り畳むことのできる形態のものは特に好ましい。また、配送効率を高めるために、断熱性カバーは予め店舗に備え置きとされるのが望ましい。
【００１８】
コンテナと断熱性シートの形状などは各店舗ごとに異なるものであってもよいが、配送効率を高めるために、冷凍商品が配送される店舗側が用意した統一した規格品を用いることもできる。
【発明の効果】
【００１９】
本発明により、冷凍車の運転手による配送効率が向上する。また、店舗側の店員の作業効率を向上させることができる。結果として、本発明によれば、冷凍商品の物流システムにおいて、システム全体としての効率化が可能となる。
【発明を実施するための最良の形態】
【００２０】
以下、図面を参照しながら、本発明によるコンテナの保管方法とそこで用いる断熱性カバーを実施の形態に基づき説明する。図１は物流業者による冷凍車を用いた冷凍商品の配送手順を示し、図２は配送先である店舗側での冷凍商品の保管手順を示している。図３は、本発明で使用するコンテナ（図３ａ）と開放自在な断熱性カバーの一実施の形態（図３ｂ）を示している。図４は断熱性カバーの材料である断熱シートの一例を示す断面図であり、図５は開いた状態の断熱性カバーを折り畳むときの状態を示している。
【００２１】
図１において、Ｓは物流センターであり、多品種の冷凍商品ｉ−１・・ｉ−ｎが冷凍庫内に保管されている。そこで、複数の店舗Ａ，Ｂ・・Ｎに配送すべき冷凍商品のアイテムが各店舗ごとに選択され、個々のコンテナａ，ｂ・・ｎに仕分けして収容される。コンテナａ，ｂ・・ｎは配送先である店舗Ａ，Ｂ・・Ｎがある区域を巡回する物流業者の冷凍車１に入れられる（図１ａ）。
【００２２】
冷凍車１の運転者は車を運転し、最初の店舗Ａに到着する。そこで、運転者は店舗Ａに配送すべき冷凍商品を収容したコンテナａを車から降ろす（図１ｂ）。そして、店舗に備え付けの断熱性カバー２によってコンテナａを包み込む作業を行った後、運転者は直ちに冷凍車１に乗り込み、次の店舗Ｂに向けて車を移動する。店員の了解が得られれば、断熱性カバー２によるコンテナａの包み込み作業を店員に依頼する。その場合には、より短時間で、次の店舗Ｂに向けて車を移動することができる。以下、運転者は、店舗Ｂで同じ作業を行い（図１ｃ）、店舗Ｃで同じ作業を行い（図１ｄ）、店舗Ｎまで、同じ作業を繰り返す（図１ｅ）。
【００２３】
図２は、一つの店舗（ここでは、店舗Ａ）での作業手順（保管手順）を示す。前記のようにして配送されたコンテナａは店舗Ａに備えてある断熱性カバー２に入れられ（図２ａ）、その状態で店員に余裕時間ができるまで店舗Ａの適所に仮保管される（図２ｂ）。店員は客に対するサービスを要しないときに、断熱性カバー２を開き、コンテナａを取り出し（図２ｃ）、コンテナ内の冷凍商品ｉを店舗に備え付けの陳列冷凍庫３内に移し変えて冷凍商品の保管または陳列を行う（図２ｄ）。移し変え後、コンテナａと断熱性カバー２を分離し、それぞれを所定の場所に再度保管する（図２ｅ）。
【００２４】
図１に戻り、冷凍車１はすべての店舗Ａ，Ｂ・・Ｎへの配送を終えた後、再度、各店舗Ａ，Ｂ・・Ｎを巡回して、空になっているコンテナａ，ｂ・・ｎを回収しながら、物流センターＳに戻る。それにより、一回の配送作業は終了する。図２ｅは、店舗Ａで空になったコンテナａを冷凍車１が回収する状態を示している。
【００２５】
上記のように、この配送方法および保管方法に従えば、各店舗での運転者の滞在時間は短縮し、かつ店員の手が空いたときにコンテナ内の冷凍商品を当該店舗の冷蔵庫に移し変えることができるので、店員の作業効率も向上する。特に、コンテナａ，ｂ・・ｎおよび各店舗に備え付ける断熱性カバー２を、店舗側が用意する統一した規格品とすることにより、保管するときの作業効率は一層向上する。
【００２６】
次ぎに、図３〜図５を用いて、上記の冷凍商品の配送方法で使用する断熱性カバー２の一例を説明する。この断熱性カバー２は開放自在な形状であり、例えば、図４に示すような積層構造である断熱シート２ａから作られている。断熱シート２ａは、最外層がアルミ蒸着がなされた厚さ１２μｍ程度のポリエチレンテレフタレートフィルムａであり、そこに、ポリエチレンのラミネート層ｂ１，ｂ２，ｂ３を介して、ポリエチレンクロスｃと２ｍｍ厚程度のポリエチレン発泡シートｄとがこの順で積層されている。この構成の断熱シート２ａは、断熱性に加えて、所要の柔軟性および強度を備えている。
【００２７】
図３に示すように、この断熱性カバー２は、底面１０を有し、底面１０の後縁には背面１１が一体に繋がっている。さらに、底面１０と背面１１の左右の側縁には左右の側壁面１２，１３が一体に繋がっている。背面１１の上縁、すなわち背面１１が底面と接続する縁とは反対の縁には、断熱性カバー２を閉じた状態としたときに蓋部分となる第１の上面１４が一体に繋がっている。底面１０の前縁、すなわち底面１０に背面１１が接続する縁とは反対の縁には、断熱性カバー２を閉じた状態としたときに前側部分となる前面１５が一体に繋がっている。
【００２８】
左右の側壁面１２，１３の上縁には、やはり断熱性カバー２を閉じた状態としたときに蓋部分となる第２の上面１６，１７がそれぞれ一体に繋がっており、さらに、前記前面１５の上縁、すなわち前面１５が底面１０に接続する縁とは反対の縁には、上面接合片１８が一体に繋がっている。この上面接合片１８は前面１５を立ち上がった姿勢としたときに、上面側の一部を覆う方向に折り曲げられる。なお、上面接合片１８は省略することもできる。
【００２９】
左右の側壁面１２，１３の前面側の側縁、すなわち左右の側壁面１２，１３が背面１１と接続する縁とは反対側の側縁には、前面接合片１９，２０が一体に繋がっている。この前面接合片１９，２０は、断熱性カバー２を閉じた状態とするときに、前面側の一部を覆う方向に折り曲げられる。なお、前面接合片１９，２０は省略することもできる。
【００３０】
上記の構造である断熱性カバー２は、図１ｂに示すように開いた状態にあるときに、上面側と前面側とはその全面が開放した状態となり、かつ、背面１１は底面１０に対して立ち上がった姿勢を維持することができ、左右の側壁面１２，１３もやや外側に傾斜した状態で立ち上がった姿勢を維持することができる。すなわち、断熱性カバー２は開いた状態でも底面１０を支持面として自立性を保っている。
【００３１】
この例の断熱性カバー２において、前記前面接合片１９，２０には、面ファスナーからなる離脱自在接合テープ２１，２２が取り付けてあり、前面１５の左右の側縁にも離脱自在接合テープ２３，２４が取り付けてある。従って、前面１５を立ち上がった姿勢とすると、離脱自在接合テープ２３，２４は前記前面接合片１９，２０に取り付けた離脱自在接合テープ２１，２２と係合した状態となり、左右の側壁面１２，１３と前面１５とは分離できる状態で一体化する。
【００３２】
前記上面接合片１８の図３ｂで裏面にも離脱自在接合テープ２５が取り付けられ、第１の上面１４の先端縁にも離脱自在接合テープ２６が取り付けられ、第２の上面１６，１７の先端縁にも離脱自在接合テープ２７，２８が取り付けられている。さらに、第１の上面１４の図１ｂで裏面に２本の離脱自在接合テープ２９，３０が取り付けられている。
【００３３】
コンテナＣは、図３ａに示すように、断熱性カバー２内にほぼ隙間なく収容される寸法と形状のものであり、好ましくは、非発泡ポリスチレンのような非発泡樹脂で作られる。図示のものでは蓋を備えないが、蓋を備えていてもよい。図示しないが、コンテナとして使用しないときには折り畳みできる構造のものは特に好ましい。
【００３４】
図３ｂに示すように、この断熱性カバー２は、開いた状態にあるときは上面と前面が大きく開放しており、かつ自立しているので、そこへコンテナＣを容易に入れ込むことができる。入れ込んだ後、前面１５を立ち上がらせ、かつ、コンテナＣの上に、第１の上面１４と第２の上面１６，１７を被せることにより、断熱性カバー２は閉じた状態となる。各面の接合部は離脱自在接合テープ２１〜３０によって分離可能に一体化されるので、安定した閉じた状態が得られる。
【００３５】
このようにして、断熱性カバー２を閉じた状態とすることにより、断熱性カバー２の内部は外気とは隔離された状態となり、断熱性カバー２自体が断熱性シートで作られていることと相まって、内部に包み込まれたコンテナＣからの放熱をほぼ完全に阻止することができる。そのために、前記した店舗において、１，２時間放置されても、コンテナＣに収容した冷凍商品ｉが解凍するようなことはない。
【００３６】
さらに、この例の断熱性カバー２はミシンによる縫い込み線のような折り畳み代が所要箇所に設けている。すなわち、図３ｂに示すように、背面１１，左右の側壁面１２，１３、および前面１５の上下方向のほぼ中央位置に上縁に平行に走る第１の折り畳み代３１を設け、さらに左右の側壁面１２，１３には各偶部から第１の折り畳み代３１に向けて斜行する第２の折り畳み代３２を設けている。
【００３７】
そのために、図３ｂの姿勢のものを上から押すことにより、背面１１と左右の側壁面１２，１３は内側に二つ折りされた状態で入り込んでいき、最後には、図５に示すように、底面１０の上に背面１１と左右の側壁面１２，１３とが二つ折りされた状態で乗った姿勢となる。図示しないが、その上に、前面１５と上面接合片１８を内側に折り畳んで重畳させ、その上に第１の上面を内側に折り畳んで重畳させ、その上に、第２の上面１６，１７を内側に折り畳んで重畳させることにより、断熱性カバー２をコンパクトに折り畳んだ状態とすることができる。
【図面の簡単な説明】
【００３８】
【図１】図１は冷凍商品の配送方法の一例を説明する図であり、冷凍車による配送手順を示している。
【図２】配送先である店舗での冷凍商品の保管手順を示している。
【図３】本発明で使用するコンテナの一例（図３ａ）と開放自在な断熱性カバーの一実施の形態（図３ｂ）を示している。
【図４】断熱性カバーの材料である断熱シートの一例を示す断面図。
【図５】開いた状態の断熱性カバーを折り畳むときの状態を示す図。
【符号の説明】
【００３９】
Ｓ…物流センター、ｉ…冷凍商品、１…冷凍車、２…断熱性カバー、２ａ…断熱シート、３…陳列冷凍庫、Ｃ…コンテナ、１０…底面、１１…背面、１２，１３…左右の側壁面、１４…第１の上面、１５…前面、１６，１７…第２の上面、１８…上面接合片、１９，２０…前面接合片、２１〜３０…離脱自在接合テープ、３１、３２…折り畳み代
【図１】
0005112635.tif 000002
【図２】
0005112635.tif 000003
【図３】
0005112635.tif 000004
【図４】
0005112635.tif 000005
【図５】
0005112635.tif 000006